(57)【要約】【課題】  入院患者が見られたくない情報を表示していても、医療スタッフや他の入院患者から見えにくく、プライバシの保護性の高いベットサイド情報端末装置を提供する。【解決手段】  制御部１００は、各部を統括して制御するものであって、例えば入力部１０１を通じたユーザからの指示に応じて、通信インターフェイス１０３を制御してＬＡＮを通じて種々の情報を取得し、この取得した情報を表示制御部１０４を制御して表示部１０５に表示させる。また、制御部１００は、入力部１０１を通じたユーザからの指示や、内蔵する時計１００ａが計時する時刻、あるいは表示部１０５に表示する情報に応じて、表示制御部１０４を制御し、文字や図形などの表示色と、その背景となる背景色とを、同系色の異なる色でそれぞれ表示させて、見やすさよりも側面方向から見にくくなるような表示にして他者から見えにくくなるようにしたものである。【選択図】      図１
2005084085.tif 000002
【特許請求の範囲】
【請求項１】
入院患者のベット近傍にて、情報を視覚的に提供するベットサイド情報端末装置において、
ユーザから指示を受け付ける入力手段と、
情報を視覚的に表示する表示手段と、
この表示手段における表示を、前記入力手段を通じたユーザからの指示に応じて選択的に、少なくとも文字の表示色とその背景となる背景色とを、異系の異なる色でそれぞれ表示させたり、あるいは同系の異なる色でそれぞれ表示させる表示制御手段とを具備することを特徴とするベットサイド情報端末装置。
【請求項２】
入院患者のベット近傍にて、情報を視覚的に提供するベットサイド情報端末装置において、
ユーザから情報の入力を受け付ける入力手段と、
この入力手段を通じて入力された時刻情報を記憶する記憶手段と、
時刻を計時する計時手段と、
情報を視覚的に表示する表示手段と、
この表示手段における表示を、前記計時手段が計時する現在の時刻と前記記憶手段が記憶する時刻情報とに基づいて、選択的に、少なくとも文字の表示色とその背景となる背景色とを、異系の異なる色でそれぞれ表示させたり、あるいは同系の異なる色でそれぞれ表示させる表示制御手段とを具備することを特徴とするベットサイド情報端末装置。
【請求項３】
入院患者のベット近傍にて、情報を視覚的に提供するベットサイド情報端末装置において、
情報を視覚的に表示する表示手段と、
この表示手段に表示する情報に応じて選択的に、少なくとも文字の表示色とその背景となる背景色とを、異系の異なる色でそれぞれ表示させたり、あるいは同系の異なる色でそれぞれ表示させる表示制御手段とを具備することを特徴とするベットサイド情報端末装置。
【請求項４】
入院患者のベット近傍にて、情報を視覚的に提供するベットサイド情報端末装置において、
ユーザから指示を受け付ける入力手段と、
情報を視覚的に表示する表示手段と、
この表示手段における表示を、前記入力手段を通じたユーザからの指示に応じて選択的に、少なくとも文字の表示色とその背景となる背景色とをそれぞれ異系の異なる色で表示させたり、あるいは同色の異なる輝度でそれぞれ表示させる表示制御手段とを具備することを特徴とするベットサイド情報端末装置。
【請求項５】
入院患者のベット近傍にて、情報を視覚的に提供するベットサイド情報端末装置において、
ユーザから情報の入力を受け付ける入力手段と、
この入力手段を通じて入力された時刻情報を記憶する記憶手段と、
時刻を計時する計時手段と、
情報を視覚的に表示する表示手段と、
この表示手段における表示を、前記計時手段が計時する現在の時刻と前記記憶手段が記憶する時刻情報とに基づいて、選択的に、少なくとも文字の表示色とその背景となる背景色とをそれぞれ異系の異なる色で表示させたり、あるいは同色の異なる輝度でそれぞれ表示させる表示制御手段とを具備することを特徴とするベットサイド情報端末装置。
【請求項６】
入院患者のベット近傍にて、情報を視覚的に提供するベットサイド情報端末装置において、
情報を視覚的に表示する表示手段と、
この表示手段に表示する情報に応じて選択的に、少なくとも文字の表示色とその背景となる背景色とをそれぞれ異系の異なる色で表示させたり、あるいは同色の異なる輝度でそれぞれ表示させる表示制御手段とを具備することを特徴とするベットサイド情報端末装置。
【発明の詳細な説明】
【技術分野】
【０００１】
この発明は、入院患者のベットサイドにおいて、種々の情報や娯楽を視覚的に提供することが可能なベットサイド情報端末装置に関する。
【背景技術】
【０００２】
周知のように、ベットサイドにおいて入院患者や医療スタッフに必要な情報を提供することが可能なベットサイド情報システムがある（例えば、特許文献１参照）。  
これによれば、テレビ、ビデオなどの映像情報のほかに、テレビ電話やインターネットなどの即時性の高い情報をベットサイドで利用でき、また病状、治療方針、治療経過などの診療情報を正確に知ることができる。また医療スタッフにとっても、患者の診療に資する診療情報をベットサイドにおいて迅速かつ正確に入手することができる。
【０００３】
しかしながら、従来のベットサイド情報システムにおいて、入院患者のベットサイドに設置されるベットサイド情報端末装置では、入院患者が見られたくない情報が医療スタッフや他の入院患者などに見られてしまう虞があり、プライバシ保護の面で問題があった。
【特許文献１】特開２０００−２８５１８１公報。
【発明の開示】
【発明が解決しようとする課題】
【０００４】
従来のベットサイド情報端末装置では、入院患者が見られたくない情報が医療スタッフや他の入院患者などに見られてしまう虞があり、プライバシ保護の面で問題があった。  
この発明は上記の問題を解決すべくなされたもので、入院患者が見られたくない情報を表示していても、医療スタッフや他の入院患者などから見えにくく、プライバシの保護性の高いベットサイド情報端末装置を提供することを目的とする。
【課題を解決するための手段】
【０００５】
上記の目的を達成するために、この発明は、入院患者のベット近傍にて、情報を視覚的に提供するベットサイド情報端末装置において、ユーザから指示を受け付ける入力手段と、情報を視覚的に表示する表示手段と、この表示手段における表示を、入力手段を通じたユーザからの指示に応じて選択的に、少なくとも文字の表示色とその背景となる背景色とを、異系の異なる色でそれぞれ表示させたり、あるいは同系の異なる色でそれぞれ表示させる表示制御手段とを具備して構成するようにした。
【０００６】
またこの発明では、入院患者のベット近傍にて、情報を視覚的に提供するベットサイド情報端末装置において、ユーザから指示を受け付ける入力手段と、情報を視覚的に表示する表示手段と、この表示手段における表示を、入力手段を通じたユーザからの指示に応じて選択的に、少なくとも文字の表示色とその背景となる背景色とをそれぞれ異系の異なる色で表示させたり、あるいは同色の異なる輝度でそれぞれ表示させる表示制御手段とを具備して構成するようにした。
【発明の効果】
【０００７】
以上述べたように、この発明では、ユーザからの指示に応じて選択的に、少なくとも文字の表示色とその背景となる背景色とを、異系の異なる色でそれぞれ表示させたり、あるいは同系の異なる色でそれぞれ表示させるようにしている。
【０００８】
また、この発明では、ユーザからの指示に応じて選択的に、少なくとも文字の表示色とその背景となる背景色とをそれぞれ異系の異なる色で表示させたり、あるいは同色の異なる輝度でそれぞれ表示させるようにしている。
【０００９】
したがって、この発明によれば、ユーザからの指示に応じて、選択的に側面方向からの見やすさを切り替えることができるので、入院患者が見られたくない情報を表示していても、医療スタッフや他の入院患者などから見えにくく、プライバシの保護性の高いベットサイド情報端末装置を提供できる。
【発明を実施するための最良の形態】
【００１０】
以下、図面を参照して、この発明の一実施形態について説明する。  
図１は、この発明の一実施形態に係わるベットサイド情報端末装置の構成を示すものである。ベットサイド情報端末装置は、制御部１００と、入力部１０１と、記憶部１０２と、通信インターフェイス（Ｉ／Ｆ）１０３と、表示制御部１０４と、表示部１０５とを備えている。
【００１１】
入力部１０１は、入院患者や医療スタッフなどのユーザからの指示を受け付けるものであって、ワイヤードタイプのものやワイヤレスタイプのものが考えられる。  
記憶部１０２は、ＲＡＭやＲＯＭなどの半導体の記憶媒体やハードディスクからなり、制御プログラムや制御データをはじめ、種々のコンテンツ情報、後述する制御部１００で用いるタイムテーブルデータを記憶するものである。  
通信インターフェイス１０３は、制御部１００からの指示に従って、病院内に配設されるＬＡＮ（Local Area Network）と通信するインターフェイスである。
【００１２】
表示制御部１０４は、制御部１００からの指示に従って、制御部１００から与えられる表示データを映像信号に変換し、表示部１０５に出力するものである。  
表示部１０５は、ＴＦＴ（Thin Film Transistor）などを用いた液晶ディスプレイであって、表示制御部１０４から与えられる映像信号に基づいて、種々の情報を視覚的に表示するものである。
【００１３】
制御部１００は、当該ベットサイド情報端末装置の各部を統括して制御するものであって、例えば入力部１０１を通じたユーザからの指示に応じて、通信インターフェイス１０３を制御してＬＡＮを通じて種々の情報を取得し、この取得した情報を表示制御部１０４を制御して表示部１０５に表示させる機能を備える。
【００１４】
また、制御部１００は、入力部１０１を通じて入力された情報を記憶部１０２に記録したり、あるいは入力部１０１を通じた要求に応じて、記憶部１０２から情報を読み出し、この読み出した情報を表示制御部１０４を制御して表示部１０５に表示させる機能を備える。
【００１５】
このような情報を管理する制御機能の一例として、スケジュール機能があり、この機能では制御部１００がユーザである入院患者が入力した自己のスケジュール情報を記憶部１０２に記録し、入力部１０１を通じた要求に応じて、記憶部１０２から情報を読み出し、この読み出したスケジュール情報を表示制御部１０４を制御して表示部１０５に表示させる。
【００１６】
さらに、制御部１００は、新たな制御機能として、入力部１０１を通じたユーザからの指示や、内蔵する時計１００ａが計時する時刻、あるいは表示部１０５に表示する情報に応じて、表示制御部１０４を制御し、表示部１０５に表示している情報を医療スタッフや他の入院患者などから見えにくくなるように、配色を制御する機能を備える。
【００１７】
次に、上記構成のベットサイド情報端末装置の動作について説明する。ここでは、ＬＡＮを通じて情報を取得し、それを表示する動作や、記憶部１０２から読み出した情報を表示する動作についての説明は省略し、表示部１０５における表示の配色の制御動作について説明する。
【００１８】
この制御動作は、制御部１００によってなされるもので、図２にその制御動作を説明するためのフローチャートを示す。この制御動作は、当該ベットサイド情報端末装置の電源が投入されている間、繰り返し実行される。
【００１９】
なお、この制御動作に先立って、入力部１０１を通じたユーザからのデータ入力により、図３に示すようなタイムテーブルデータが作成され、記憶部１０２に記憶されているものとする。このタイムテーブルには、時刻情報に対応づけられて、プライバシ保護表示をＯＮにするかＯＦＦにするかを示す情報が記録される。
【００２０】
まず、ステップ２ａにおいて制御部１００は、ユーザから入力部１０１を通じてプライバシ保護の要求がなされたか否かを判定する。ここで、プライバシ保護の要求がなされた場合には、ステップ２ｅに移行し、一方、プライバシ保護の要求がなされない場合には、ステップ２ｂに移行する。
【００２１】
ステップ２ｂにおいて制御部１００は、時計１００ａが計時する時刻と、記憶部１０２に記憶されているタイムテーブルデータを参照し、現在の時刻がプライバシ保護表示の時間帯か否かを判定する。ここで、現在の時刻がプライバシ保護表示の時間帯の場合には、ステップ２ｅに移行し、一方、現在の時刻がプライバシ保護表示の時間帯でない場合には、ステップ２ｃに移行する。
【００２２】
ステップ２ｃにおいて制御部１００は、表示部１０５に表示している情報が入院患者のスケジュール情報か否かを判定する。ここで、表示部１０５に表示している情報が入院患者のスケジュール情報の場合には、ステップ２ｅに移行し、一方、表示部１０５に表示している情報が入院患者のスケジュール情報以外の場合には、ステップ２ｄに移行する。
【００２３】
ステップ２ｄにおいて制御部１００は、表示制御部１０４に対して通常の表示制御を行うように指示し、ステップ２ａに移行する。これに対して表示制御部１０４は、通常の表示制御を実施して、制御部１００から与えられる表示データを映像信号に変換し、表示部１０５に出力する。
【００２４】
一方、ステップ２ｅにおいて制御部１００は、表示制御部１０４に対してプライバシ保護の表示制御を行うように指示し、ステップ２ａに移行する。これに対して表示制御部１０４は、プライバシ保護の表示制御を実施して、制御部１００から与えられる表示データを映像信号に変換し、表示部１０５に出力する。  
通常の表示制御では、文字や図形などの表示色と、その背景となる背景色とを、異系色の異なる色でそれぞれ表示させて見やすさを重視した表示を行うのに対して、このプライバシ保護の表示制御では、同系色の異なる色でそれぞれ表示させて、見やすさよりも側面方向から見にくくなるような表示にする。例えば、表示色を白とし、背景色を灰色とする。その他、赤と茶、黒と群青色などの組み合わせが考えられる。
【００２５】
以上のように、上記構成のベットサイド情報端末装置では、予め設定した時間やユーザからの指示に応じて、表示部１０５における表示を通常の配色で表示にしたり、同系色でまとめた表示にするようにしている。
【００２６】
したがって、上記構成のベットサイド情報端末装置によれば、同系色でまとめた表示を選択的に行えることで、正面方向から入院患者が見た場合には多少見づらくはなるものの、図４に示すように側面方向からの他者からの覗き見を防止することができ、プライバシの保護性を高めることができる。
【００２７】
また、スケジュール機能など特定の情報が表示される場合には、通常の配色の表示から同系色でまとめた表示に切り替えるようにしているので、他人に知られたくないような情報を表示する際にプライバシの保護性を高めることができる。
【００２８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２９】
その一例として例えば、上記実施の形態では、文字や図形などの表示色と、その背景となる背景色とを、同系色でまとめた表示に切り替えることで側面方向から見にくくなるようにしたが、これに変わって例えば、文字や図形などの表示色と、その背景となる背景色とを同じ色で輝度を異ならせて表示するようにしてもよい。これによれば、同じ色であることより、正面方向からの多少見にくくなるものの、輝度の違いから情報を視認することができるとともに、側面方向からの覗き見を防止することができる。  
その他、この発明の要旨を逸脱しない範囲で種々の変形を施しても同様に実施可能であることはいうまでもない。
【図面の簡単な説明】
【００３０】
【図１】この発明に係わるベットサイド情報端末装置の一実施形態の構成を示す回路ブロック図。
【図２】図１に示したベットサイド情報端末装置の表示配色の制御動作を説明するためのフローチャート。
【図３】図２に示した表示配色の制御動作で用いるタイムテーブルデータの一例を示す図。
【図４】この発明に係わるベットサイド情報端末装置の運用環境を示す図。
【符号の説明】
【００３１】
１００…制御部、１００ａ…時計、１０１…入力部、１０２…記憶部、１０３…通信インターフェイス（Ｉ／Ｆ）、１０４…表示制御部、１０５…表示部。
【図１】
2005084085.tif 000003
【図２】
2005084085.tif 000004
【図３】
2005084085.tif 000005
【図４】
2005084085.tif 000006